(57)【特許請求の範囲】
【請求項１】
吸収剤材料を含んでなる全体として細長い吸収剤芯、および開口部のある重合体状成形フィルムを含んでなる外側カバーを含んでなるタンポンであって、開口部のある重合体状成形フィルムが内部に多数の穴を有する台地領域を含んでなり、各々の該穴は第１の開口部および第１の開口部から実質的に均一な方向に伸びており且つ第２の開口部で終結する側壁により規定されており、第２の開口部の少なくとも一部が重合体状フィブリルにより架橋されており、そして第２の開口部により累積的に形成される開放面積が開口部のある重合体状成形フィルムの表面積の２％〜３５％であり、外側カバーがタンポン上で第２の開口部が吸収剤芯に隣接するように配置されているタンポン。
【請求項２】
吸収剤芯が少なくとも１つの一般的に細長い表面を有しており、外側カバーが少なくとも１つの一般的に細長い表面の実質的な部分にわたり存在する請求項１記載のタンポン。
【請求項３】
吸収剤芯が２つの先端表面を有しており、少なくとも１つの先端表面が外側カバーにより実質的に被覆されている請求項２記載のタンポン。
【請求項４】
吸収芯が吸収剤繊維を含んでなる請求項１記載のタンポン。
【請求項５】
開口部のある重合体状成形フィルムがエチレン−酢酸ビニルおよびポリプロピレンの配合物を含んでなる請求項１記載のタンポン。
【請求項６】
開口部のある重合体状成形フィルムがポリプロピレンおよび低密度ポリエチレンの配合物を含んでなる請求項１記載のタンポン。
【請求項７】
吸収剤芯が一般的に円筒状である請求項１記載のタンポン。
【請求項８】
開放面積が開口部のある重合体状成形フィルムの表面積の２％〜２５％である請求項７記載のタンポン。
【請求項９】
第２の開口部の少なくとも５０％が重合体状フィブリルにより架橋されている請求項１記載のタンポン。
【発明の詳細な説明】
発明の分野
本発明は哺乳動物の体腔中への挿入用の一般的に細長いタンポンに関する。これらのタンポンは体腔中へのそしてそこからの滑らかな扱いやすい挿入および除去を与えるための滑らかな開口部のある重合体状成形フィルムカバーを有する。
発明の背景
月経タンポンは月経流体流を吸収して下着および他の衣服への漏出および汚染を防止するために女性により使用される。従って、タンポンが良好な吸収性を示し且つ流体を急速に吸収できることが望ましい。残念なことに、タンポンは欠点や不便さがないわけではない。例えば、タンポンが充分なほど速くまたは腟管を満たすのに充分なほど完全に膨張しない場合には、それは予期せぬことに漏れるかもしれない。タンポンはまた時には腟管への挿入またはそこからの除去が難しくまたは不快である。これらの挿入および除去の難しさは月経流が少ない時に特に明白である。
タンポンの吸収剤材料または外側カバーを変えることによりこれらの問題を改善するために多くの試みがなされてきている。グレイナー(Greiner)他の米国特許第２，７１０，００７号およびブルゲニ(Burgeni)の米国特許第３，３４０，８７４号が、急速な流体吸収を促進するためのタンポンの一部における低密度材料の使用の例である。
ゲラート(Gellert)の米国特許第４，４７５，９１１号は、開口部のある成形フィルムの多孔性重複部分内に完全に囲まれた非吸収剤である親水性の弾性繊維のばらばらになった列から製造されているタンポンを記載している。
トンプソン(Thompson)の米国特許第３，９２９，１３５号は、月経タンポンを含む廃棄可能な吸収性の装置中で役立つ上部シートを記載している。この上部シートは先細の毛管を有する開口部のある成形フィルムである。この参考文献中の実施例は約９０％より多い開放面積(open area)の上表面を有する上部シートを記載している。
ロイド(Lloyd)他の米国特許第５，３７４，２５８号は縦方向のリブを含んでなるカバーのついたタンポンを記載している。カバー上のリブはタンポンの軸と平行でありそして複数の横方向のリブにより互いに分離されている。ホワース(Howarth)の米国特許第５，４０３，３００号は重合体網目外側カバーのついたタンポンを記載している。この網目はタンポンの主軸に関してそして互いに関して斜めに整列されている平行なリブの２つの交差する組を含んでなる。主張によれば、リブの配向がタンポンの滑らかな挿入および除去を助ける。
フォレイ(Foley)他の一般的に譲渡された出願継続中の特許出願である米国特許出願番号０８／７８９，７４７（ＥＰ  ６８５  ２１５として公告されている）は腟の上皮で低い毛管吸い込み圧力を示すタンポンを記載している。この出願の内容はここに引用することにより本発明の内容となる。
本発明の目的は良好な吸収性および漏出防止、体腔中へのそしてそこからの挿入および除去の容易さ、並びに使用後の比較的きれいな乾いた表面を有する新規なタンポンを提供することである。
発明の要旨
本発明のタンポンは、腟管中へのそしてそこからの容易な扱いやすい挿入および除去のための滑らかな表面を与えながら良好な吸収性および漏出防止を与える。吸収剤材料から製造された全体として細長い吸収剤芯および開口部のある成形フィルムから製造された外側カバーを備えることにより、それらはこのことを達成する。開口部のある重合体状成形フィルムは内部に多数の穴(openings)を有する台地領域(land region)を含んでなる。これらの穴の各々は第１の開口部およびこの第１の開口部から均一な方向に伸びている側壁により規定される。側壁は第２の開口部で終結する。第２の開口部により累積的に形成される開放面積は開口部のある重合体状成形フィルムの表面積の約３５％より少ない。外側カバーはタンポン上で、第２の開口部が吸収剤芯に隣接するように配向される。
開口部のある成形フィルムは、腟壁に沿ったその扱いやすい乾かない状態での通過のために、タンポンの最も外側の表面上に一般的に滑らかな台地面積を提供する。フィルム中の開口部により、流体はカバーを通って吸収剤芯に行き、そこで流体が保たれて漏出が防止される。
本発明のタンポンは、吸収剤材料の全体として細長いブランクを形成し、開口部のある重合体状成形フィルムのある長さとそれがブランクの全体として細長い表面を少なくとも被覆するように付着させ、そして次に被覆したブランク(blank)を圧縮してタンポンを形成することにより、製造できる。引っ張り紐または細糸をブランクまたは被覆したブランクに取り付けて使用者がタンポンを使用後に体腔から引くのを助けることができる。
図面の簡単な記述
図１は本発明のタンポンの好ましい態様の透視図を示す。
図１Ａは図１の開口部のあるフィルムの分解断面図を示す。
図２はカバー中に突出する繊維を有する先行技術のタンポンの側面図である。
図３は本発明のタンポンの側面図である。
図４は本発明のタンポン用の外側カバーの好ましい態様における「最も近い隣の(Nearest Neighbour)」開口部（「ＮＮＤＩＳＴ」）の距離の頻数を示すグラフである。
図５は市販のｏ．ｂ．▲Ｒ▼タンポン用の繊維状カバーにおける「最も近い隣の」開口部（「ＮＮＤＩＳＴ」）の距離の頻数を示すグラフである。
図６は本発明のタンポンでの使用のための開口部のある成形フィルムを製造するための好ましいタイプの装置の図解的な図である。
好ましい態様の詳細な記述
図１および１Ａに示されているように、本発明のタンポン１０の好ましい態様は吸収剤材料の一般的に細長い吸収剤芯１２および開口部のある成形フィルムの外側カバー１４を有する。カバー１４の開口部のある成形フィルムは、実質的に平らな配置方向で配置される時には、内部に複数の穴１８を有する台地領域１６を含んでなる。各穴１８は台地領域１６中の第１の開口部２０およびそこから実質的に均一な方向に伸びておりそして第２の開口部２４の中で終結する側壁２２を有する。第２の開口部２４の全てが同じ面にあることは必要ない。
第２の開口部２４の一部は側壁のフィブリル２６または糸様延長部を第２の開口部２４を越えて架橋することにより分割することもできる。これらのフィブリル２６は出発フィルムの不完全な開口作成により製造される。フィブリル２６の予期せぬ利点は、それらが吸収剤芯材料がフィルム中の穴を通って突出するのを防止する別の能力を有する外側カバーを提供することである。
この開口部のある成形フィルムは、第２の開口部２４が吸収剤芯１２に一般的に隣接するように、タンポン１０の上に置かれる。開口部のあるフィルムカバーの利点は、それがタンポン表面上の吸収剤材料の存在を最少にすることである。台地領域１６は台地領域１６をそれに実質的に平行な面上に突出させることから生ずる突出した台地面積を有する。
フィルム中の開口部の寸法および数はフィルム中を通る吸収剤芯材料の浸透を最少にするように選択される。タンポン表面上の吸収剤芯材料の存在は挿入時の腟壁に対する摩擦を高めそして使用中の腟壁の乾燥の一助となり、除去を不快にする。タンポン表面上の吸収剤芯材料の不存在が挿入および除去の容易さの維持を助ける。
第１および第２の開口部を連結する側壁の長さが、改良された挿入特性を有するタンポンを提供する際に役割を演ずる。第１および第２の開口部間の側壁の存在がフィルムに対して一般的に三次元的な性質を与える。この三次元的な性質は、その開示事項がここに引用することにより本発明の内容となる米国特許第４，７１０，１８６号に記載されているもののような網状構造フィルムの一般的に二次元的な性質とは対照的である。二次元的な網状構造フィルムは、吸収剤芯の吸収剤材料の一部がタンポンを通って表面に突出するのを比較的容易に可能にする。
側壁により与えられる三次元的な性質は、吸収剤芯の吸収剤材料がタンポンの表面から分離するのを助ける。側壁が長くなればなるほど、タンポン表面からの吸収剤芯材料の分離は大きくなり、そして吸収剤芯材料が開口部のあるフィルム中の穴を通って突出して挿入中に腟組織に接触することが少なくなるようである。
側壁の最適な長さは吸収剤芯用に使用される吸収剤材料のタイプに依存する。一部のタイプの吸収剤材料は開口部のあるフィルム中の穴を通って比較的容易に突出できるため、突出を防止するためには比較的長い側壁が必要である。タンポンの製造に詳しい当業者は、タンポンが製造工程中に頻繁に圧縮されることを認識するであろう。そのような圧縮は開口部のあるフィルムの側壁の折り重ねを生ずる。しかしながら、そのような折り重ねは側壁が開口部のあるフィルム中の穴を通る吸収剤材料の突出を防止する能力を減ずるものではない。
図２は繊維カバー１０２を有する先行技術のタンポン１００の側面図を示す。先行技術のタンポン１００の表面１０４は繊維カバー１０２を通って突出する吸収剤芯繊維およびカバー１０２からのばらばらの繊維の両者により生ずる「けばだった」外観を有する。
図３は開口部のあるフィルムカバー１４を有する本発明のタンポン１０の側面図を示す。タンポン１０の表面は滑らかであり、繊維はカバー１４により実質的に全てが囲まれている。開口部のある成形フィルムカバー１４が、吸収剤芯繊維をタンポン１０の表面から遠くに保つのを助ける。開口部のある成形フィルムカバー１４は繊維を含んでいないため、ばらばらのカバー繊維が挿入および除去の快適さを妨害することはない。
この滑らかさは実施例に記載されている方法に従うカワバタ表面試験機により測定される平均表面粗さにより測定できる。好ましくは、平均表面粗さは従来の繊維状タンポンカバー材料のものより小さい。より好ましくは、平均表面粗さは約３ミクロンより小さい。
タンポンの吸収剤芯は、セルロース系繊維、例えばレーヨンおよび木綿、他の天然または合成吸収剤繊維、超吸収剤繊維、吸収剤フォーム、吸収剤ゲル化剤、などを含むがそれらに限定されない吸収剤材料を含んでなることができる。好ましい態様では、タンポンの吸収剤芯はレーヨンおよび木綿の配合物を含んでなる。
本発明の開口部のある成形フィルムは、ポリエチレン、ポリプロピレン、他のポリオレフィン類、エチレン酢酸ビニル、ポリエステル類、ポリスチレン、ポリアミド類、ポリエーテル類、これらの共重合体、およびこれらの配合物を含むがそれらに限定されない重合体状フィルム生成性材料を含んでなることができる。好ましい態様では、本発明の開口部のある成形フィルムはエチレン酢酸ビニルおよびポリプロピレンの配合物を含んでなる。別の好ましい態様では、開口部のある成形フィルムはポリプロピレンおよび低密度ポリエチレンの配合物を含んでなる。
一般的に細長い吸収剤芯は一般的に細長い表面および２つの先端表面を有する。好ましくは、開口部のある成形フィルムは吸収剤芯の一般的に細長い表面を少なくとも実質的に被覆してタンポン上の外側カバーを形成する。外側カバーは、第２の開口部が吸収剤芯に隣接するように配向されそして配置される。吸収剤芯の先端の一方または両方の端部が被覆されていてもよいが、これは本発明の挿入および除去の利点を得るために必要ではない。
開口部のある成形フィルムの台地領域は、それがタンポンの外側の身体に接触する外部にタンポンの体腔中への滑らかで且つ容易な挿入を可能にする滑り表面を有する身体に接触するタンポンの外側表面を与えるように選択される。表面の滑らかさにより、タンポンは腟組織上を容易に滑ることができ、それにより繊維状吸収剤または比較的滑らかでないタンポン表面が敏感な腟組織に沿ってこする時に起こるかもしれない摩擦抵抗が減少する。一定面積の開口部のある成形フィルムの突出した台地面積、突出した側壁面積、および開放面積は構成要素に相等しい(are equal to unity)。これらの３つの面積の中で、最も測定し易いものは開放面積である。約３５％より少ない開放面積を有する開口部のある成形フィルムがタンポン上にこの滑らかな表面を与えるために効果的に機能することが見いだされた。しかしながら、２％程度の少ない開放面積を有する開口部のあるフィルムもそのようなタンポンに有効である。
開放面積は開口部のあるおよび開口部のないまたは台地面積の相対的百分率を測定するための像分析を使用することにより測定できる。本質的には像分析は光顕微鏡からの光学的像を処理に適する電子信号に変換する。電子線が像を線毎に走査させる。各線が走査されるにつれて、出力信号が照度に従い変化する。白色領域は比較的高い電圧を生じ、そして黒色領域は比較的低い電圧を生ずる。開口部のある成形フィルムの像が形成されそしてその像の中で穴は白色であるが、熱可塑性材料の固体領域は種々の水準の灰色である。固体領域がより密になればなるほど、形成される灰色領域は濃くなる。測定された像の各線はサンプル採取点または画素に分割される。下記の装置を使用して上記の分析を行うことができる：透過光ベース、プラン１．０ｘ対象、および２．５０ｘアイピースのついたオリンパスＳＺＨ顕微鏡(Olympus SZH Microscope)と連動する、ライカ／ケンブリッジ・インスツルメンツ・リミテッド(LEICA/Cambridge Instruments Ltd.)により販売されているクアンチミットＱ５２０像分析器(Quantimet Q520 Image Analyzer)（ｖ．５．０２Ｂソフトウェアおよびグレイ・ストア・オプチオンつき）。像はＤＡＧＥ  ＭＴＩ  ＣＣＤ７２ビデオカメラを用いて作成することができる。
分析しようとする各材料の代表的な片を顕微鏡台の上に置きそしてビデオスクリーン上で１０ｘの顕微鏡ズーム設定で鮮明に像形成し、開放面積を代表的な面積の現場での測定から決定する。クアンチミットプログラム出力が各サンプルの平均値および標準偏差を報告する。
開放面積の他に、本発明のタンポンの開口部のある成形フィルムは最も近い隣の開口部の距離の分布により同定される。最も近い隣の距離は、開口部列の中の「最も近い隣の」計算のための像分析の使用を含む種々の手段により測定できる。最も近い隣の距離は、第１の開口部の図形中心からその最も近い隣の図形中心までで測定された、開口部のある成形フィルム中の開口部とその最も近い隣にある開口部との間の距離である。この距離は、そのような距離の頻数に対してプロットされる時には、フィルム中の開口部に関する最も近い隣の頻数分布を与える。そのような最も近い隣の分布は図４（本発明に従う開口部のある成形フィルム）および５（熱結合された繊維状ウェブ）において見られる。図４から、この開口部のある成形フィルムサンプルに関する分布が二中心性であること、すなわち０．５〜１．１ｍｍ範囲にある最も近い隣の距離の第１の分布および１．１〜２．５ｍｍ範囲にある第２の分布があること、に注目することができる。この二中心性分布は開口部のある成形フィルムのこのサンプル中の第２の開口部の約６０％を横切るフィブリルの存在に起因する。対照的に、図５に示されているように、市販のｏ．ｂ．▲Ｒ▼タンポン上で形成されたものと同様な繊維状不織カバーに関する最も近い隣の分布は最も近い隣の距離の非常に狭い分布を示す。さらに、繊維状カバーに関する最も近い隣の距離はフィルムカバーに関するものよりはるかに小さい。これは、繊維状カバー中の開口部はフィルム中の開口部よりまとめるとはるかに比較的密であることを示す。
タンポンを形成するために開口部のある成形フィルムを外側カバーとして吸収剤芯に多くの既知の方法のいずれかで適用することができる。カバーの好ましい適用方法は、ある長さのカバーがある長さの吸収剤材料の一端に付着されておりそしてこの組み立て品が円筒状に巻き上げられてカバーが円筒の外側表面を形成する米国特許第４，８６３，４５０号（フリース(Friese)）および吸収剤円筒の一端がカバーの長方形の中心に置かれそしてカバーが上にそして円筒の側面の周りに折られる米国特許第５，００４，４６７号（ヒンズマン(Hinzmann)他）に開示されている。これらの２つの特許の内容はここに引用することにより本発明の内容となる。
カバーを吸収剤芯に適用した後に、被覆された芯を放射方向に圧縮してタンポンガーゼを形成する。好ましい圧縮タンポンおよびその製造方法は一般的に譲渡された現在出願継続中の米国特許出願番号０７／５９６，４５６（（フリース(Friese)他）に記載されており、その内容はここに引用することにより本発明の内容となる。フリース他のタンポンは、より高度に圧縮された芯を囲む複数の縦方向の比較的低密度のリブにより形成された一般的に円筒状の形状を有する。ここで使用される「一般的に細長い」という語はフリース他の一般的に円筒状のタンポン並びに一般的に細長い形状を有する他のタンポンを含むことを意図する。
圧縮されたガーゼは使用者の体腔中に使用者の指で（指により）またはアプリケーターにより挿入することができる。
開口部のある重合体状成形フィルムは既知でありそして熱空気開口法および水開口法を含む当業者に既知である多くの方法により製造できる。本発明のために好ましい開口部のある成形フィルムは米国特許第５，５６７，３７６号に記載されているような装置を用いて製造され、その内容はここに引用することにより本発明の内容となる。図６は本発明における使用のための開口部のあるフィルムの態様の製造方法を示す。連続的な出発フィルム２００を巻きほどき台２１０から巻きほどきそして三次元的な開口部のある成形部品２２０の上で支える。出発フィルム２００の上には、成形部品２２０上に支えられたフィルムが多岐管２３０の下を通過するにつれて複数の熱水微細流を出発フィルム２００の上表面に適用するための多岐管２３０が置かれている。水は圧力を変えて適用できる。高圧（すなわち、１平方インチ当たり９００ポンド）または低圧（すなわち、１平方インチ当たり１６５ポンド）を使用でき、高圧および低圧の組み合わせも使用できる。成形部品２２０の下には、出発フィルム２００が多岐管２３０の下を通過する際にそのフィルムの上表面に向けられている水を除去するための真空多岐管２４０が配置されている。
加圧された熱水流がフィルムを開口部のある成形部品２２０の形状に合わせそしてフィルムが成形部品２２０中の開口部の上に重なる領域で破裂させる。生じた開口部のある成形フィルムは水流が接触した表面に対応する上部表面および成形部品２２０により支えられている表面に対応する底表面を有する。開口部のあるフィルムを次に一対の脱水ロール、２５０Ａおよび２５０Ｂ、並びに一対の逆行ロール、２６０および２７０、の中に通して過剰の水を除去しそしてフィルムを乾燥する。次に界面活性剤を開口部のあるフィルムの上部表面に適用し、フィルムを例えば切断ナイフ２８０によりタンポン変換ライン用の適当な幅に裂き、そして狭い幅のフィルムが標準芯２９０の上に巻かれる。
狭い幅の開口部のある成形フィルムを次に予め決められた長さの断片に切断する。開口部のあるフィルムの各断片の切断端部を木綿／レーヨン不織リボンの区域の後端部の外側に熱溶接する。不織リボン中の木綿およびレーヨンの配合物は１００％の木綿および０％のレーヨンから０％の木綿および１００％のレーヨンまでの範囲であってよい。好ましくは、木綿対レーヨンの配合物は２５：７５〜０：１００の範囲である。不織リボンに引っ張り紐が付与されそしてそれ自身の上に巻き上げられて開口部のあるフィルムの長さがタンポンブランクの周囲にわたり伸びるように不織リボンから離れて向いている開口部のあるフィルムの上部表面を有するタンポンブランクを形成する。開口部のあるフィルム長さの自由端部はブランクの外側の開口部のあるフィルムで被覆された表面上に熱密封される。ブランクを引き続き放射方向に圧縮してタンポンの最終的な形状を形成する。
実施例１Ａ、Ｂ、Ｃ、Ｄ
タンポン１Ａおよび１Ｃは、上記の方法に従う開口部のあるフィルムカバーを適用することにより製造される。タンポン１Ｂおよび１Ｄは、最初に木綿／レーヨン不織リボン区域を巻き上げて一般的に円筒状のタンポンブランクを形成することにより製造される。ブランクの１つの先端は開口部のあるフィルムのある長さの中心に置かれる。開口部のあるフィルムを上にそしてタンポンブランクの側面または一般的には円筒状表面の周りに折る。被覆されたブランクを次に放射方向に圧縮してタンポンを形成する。
タンポン１Ａ、１Ｂ、１Ｃ、および１Ｄを、Federal Register，PartIII，Department of Health and Human Services，Food and Drug Administration(21 CFR Part 801，pp．37263-4，September 23，1988)に記載されている標準シンギナ(Syngina)試験により吸収性に関して試験する。以下の表１から、小さい開放面積（高い台地面積）のフィルムを用いて製造されたタンポンがそれより高い開放面積（それより低い台地面積）のフィルムおよび繊維状カバーを用いて製造されたタンポンに匹敵するシンギナ能力を示すことがわかる。
0004347915.tif 000002
実施例２
２種の対照製品である（１）繊維カバーを有する超吸収性の市販の指タンポン（ｏ．ｂ．▲Ｒ▼商標）、および（２）例えば米国特許第４，７１０，１８６号に記載されているもののような二次元網状構造のフィルムを用いて製造された指タンポン、並びに超吸収性の市販のｏ．ｂ．▲Ｒ▼タンポン上の繊維カバーを３％の開放面積を有する開口部のあるフィルムカバーで代替することにより製造された実験タンポンの知覚された挿入および除去の快適さを比較した。試験タンポン（実施例２）は以上のタンポン１Ａおよび１Ｃを製造するために使用したものと同じ方法に従い製造された。対照製品および試験タンポンの各々１つ当たり５５人の回答者が指定された。各参加者は非月経日中に軽い月経日を模するためだけにタンポンを指で挿入するように指導された。各タンポンは除去まで３〜４時間にわたり着用され、そして各タンポン試験間は最短でも２０時間にされた。回答者は各タンポンの挿入工程直後に質問に完全に回答しそして次に再び各タンポンの除去工程直後に回答した。回答者は各タンポンを極端な否定である９から極端な肯定である１０までに評価するために、タンポンの種々の属性の彼らの知覚に関して質問された。試験の結果は以下の表２に示されている。
0004347915.tif 000003
表２の結果から、開口部のある成形フィルムカバーのついたタンポン（実施例２のタンポン）は全体的な挿入、挿入の容易さおよび快適さ、容易な滑り、並びに全体的な除去に関して市販のタンポンより高く評価されたことがわかる。
これらのカバー材料は、磨きあげられた鋼上での摩擦係数および表面粗さに関しても試験された。表面粗さは加藤鉄鋼（京都、日本）から市販されているカワバタ表面試験機ＫＥＳ−ＦＢ−４を使用して測定された。
カワバタ表面試験機はフィルムおよび不織布の表面粗さを測定できる。この試験の実施においては、表面粗さの平均偏差ＳＭＤは２ｃｍの距離にわたり測定される。表面粗さの測定用の接触具は１０ｇｆ（グラム力）の接触力で材料表面上に置かれた鋼ピアノ線（０．５ｍｍ直径、５ｍｍ長さ）である。接触具は人間の指の表面を模するように特別に設計されている。試験片を後方および前方の両方に２ｃｍ間隔の間を０．１ｃｍ／秒の一定速度で水平な滑らかな鋼板上を移動させる。試験片の引っ張りは２０ｇｆ／ｃｍに一定に保たれておりそして接触具は測定中は定位置にとどまる。ピアノ線の垂直変位に関連する電気信号を次にデジタル読み取り値に変換する。
カワバタ表面試験機および鋼上の摩擦係数の結果を以下の表３に示す。
0004347915.tif 000004
表面粗さ試験結果から本発明の三次元的に開口部のある成形フィルムは市販のｏ．ｂ．▲Ｒ▼タンポンからの繊維状カバーまたは二次元的な網目構造のフィルムのどれよりも低い平均表面粗さを有することがわかる。カワバタ表面粗さ試験では、比較的低い測定値は比較的低い表面粗さを示す。
しかしながら、表３が示すように、比較的低い表面粗さは比較的低い摩擦係数をもたらさない。開口部のある成形フィルムは網目構造のフィルムまたは繊維状カバーのどれよりも高い磨かれた鋼上の摩擦係数を有する。驚くべきことに、比較的大きい摩擦抵抗を与えるタンポン表面は女性の腟中へのそしてそこからの実際の挿入および除去時に比較的低い摩擦抵抗のカバーを有するタンポンより大きな快適さを示す。
以上の明細および実施例はここに開示される発明の完全であるが非限定的な理解を助けるために表されている。本発明の多くの変更および態様をその精神および範囲を逸脱しない限り行うことができるため、本発明は以下に添付されている請求の範囲に存する。
【図１】
0004347915.tif 000005
【図１Ａ】
0004347915.tif 000006
【図２】
0004347915.tif 000007
【図３】
0004347915.tif 000008
【図４】
0004347915.tif 000009
【図５】
0004347915.tif 000010
【図６】
0004347915.tif 000011